(57)【要約】【課題】高優先度を有する顧客からの通信要求を受付けながら、リソースが不足しても、基幹ネットワーク内の資源を有効に利用してパスを確立させる。【解決手段】ノード装置１０１により構成される基幹ネットワーク１０と通信可能に接続された通信装置２００および着信通信装置２０１を有する通信システム１０００において、通信装置２００−２は、着信通信装置２０１−２との間のパスを確立するための要求を行い、隣接ノード装置１００は、受付けた要求が受付不可能か否かを判断し、受付不可能と判断した場合、契約情報に基づいて通信装置２００−１の優先度および通信装置２００−２の優先度を決定し、決定された優先度をそれぞれ比較し、通信装置２００−２の優先度が通信装置２００−１の優先度より高いとき、パス２０の属性を変更し、パス２０を変更した後に、着信通信装置２０１−２との間のパスを確立させる。【選択図】        図１
2004343199.tif 000002
【特許請求の範囲】
【請求項１】
ノード装置により構成される基幹ネットワークと通信可能に接続された複数の通信装置相互間にパスが確立された後、さらに任意の通信装置相互間に新たなパスを確立させるためのネットワークリソース仲介通信方法において、
該ノード装置は、新規パスの受付に失敗した場合には、既に記憶している通信装置との間の契約情報を参照し、該新規パスを要求した通信装置の優先度が既存のパスを要求した通信装置の優先度より高いとき、既存のパスの属性を変更し、変更により不足分を補足することで、該新規パスを確立することを特徴とするネットワークリソース仲介通信方法。
【請求項２】
ノード装置により構成される基幹ネットワークと通信可能に接続された第１の通信装置、第２の通信装置、および着信通信装置を有し、前記第１の通信装置と着信通信装置との間に確立される第１のパスに加えて、前記第２の通信装置と着信通信装置との間に第２のパスを確立させるネットワークリソース仲介通信システムにおいて、
前記ノード装置内に、
各前記通信装置の契約に関する契約情報を格納する契約情報格納手段と、
前記第２のパスを確立するための要求を前記第２の通信装置から受付けるパス要求受付手段と、
前記パス要求受付手段が受付けた要求が受付不可能か否かを判断する受付判断手段と、
前記受付判断手段が受付不可能と判断した場合、前記契約情報に基づいて各前記通信装置の優先度を決定する優先度決定手段と、
前記優先度決定手段により決定された各前記通信装置の優先度をそれぞれ比較する比較手段と、
前記第２の通信装置の優先度が前記第１の通信装置の優先度より高いとき、前記第１のパスの属性を変更するパス変更手段と、
前記パス変更手段が前記第１のパスを変更した後に、前記第２のパスを確立させるパス確立手段とを備え、
前記受付判断手段が使用可能と判断した場合、前記パス確立手段は、前記第２のパスを確立させることを特徴とするリソース仲介通信システム。
【請求項３】
前記属性は、帯域を含むことを特徴とする請求項２に記載のリソース仲介通信システム。
【請求項４】
前記属性は、経路を含むことを特徴とする請求項２または請求項３に記載のリソース仲介通信システム。
【請求項５】
前記属性は、冗長系構成を含むことを特徴とする請求項２乃至請求項４の何れかに記載のリソース仲介通信システム。
【請求項６】
前記第２の通信装置の優先度が前記第１の通信装置の優先度より高いとき、前記第２のパス確立の続行または中止を前記第２の通信装置に選択させるパス確立選択手段をさらに備え、
前記パス変更手段は、前記第２のパス確立の続行が前記第２の通信装置により選択された場合、前記第１のパスに関する属性を変更することを特徴とする請求項２乃至請求項５の何れかに記載のリソース仲介通信システム。
【請求項７】
前記第２のパス確立の中止が前記第２の通信装置により選択された場合、前記第２の通信装置にポイントを加算するポイント加算手段をさらに備えたことを特徴とする請求項６に記載のリソース仲介通信システム。
【請求項８】
前記第２のパス確立の続行が前記第２の通信装置により選択された場合、前記属性を前記第１の通信装置に選択させる属性変更選択手段をさらに備え、
前記パス変更手段は、前記第２の通信装置により選択された前記属性を変更することを特徴とする請求項６または請求項７に記載のリソース仲介通信システム。
【請求項９】
ノード装置により構成される基幹ネットワークと通信可能に接続された第１の通信装置、第２の通信装置、および着信通信装置を有し、前記第１の通信装置と着信通信装置との間に確立される第１のパスに加えて、前記第２の通信装置と着信通信装置との間に第２のパスを確立させるネットワークリソース仲介通信システム内の隣接ノード装置であって、
各前記通信装置の契約に関する契約情報を格納する契約情報格納手段と、
前記第２のパスを確立するための要求を第２の通信装置から受付けるパス要求受付手段と、
前記パス要求受付手段が受付けた要求が受付不可能か否かを判断する受付判断手段と、
前記受付判断手段が受付不可能と判断した場合、前記契約情報に基づいて各前記通信装置の優先度を決定する優先度決定手段と、
前記優先度決定手段により決定された各前記通信装置の優先度をそれぞれ比較する比較手段と、
前記第２の通信装置の優先度が前記第１の通信装置の優先度より高いとき、前記第１のパスの属性を変更するパス変更手段と、
前記パス変更手段が前記第１のパスを変更した後に、前記第２のパスを確立させるパス確立手段と
を有することを特徴とする隣接ノード装置。
【請求項１０】
前記第２の通信装置の優先度が前記第１の通信装置の優先度より高いとき、前記第２のパス確立の続行または中止を前記第２の通信装置に選択させるパス確立選択手段と、
前記第２のパス確立の中止が前記第２の通信装置により選択された場合、前記第２の通信装置にポイントを加算するポイント加算手段と、
前記第２のパス確立の続行が前記第２の通信装置により選択された場合、前記第１のパスに関する属性を変更するパス変更手段と
をさらに有することを特徴とする請求項９に記載の隣接ノード装置。
【請求項１１】
前記第２のパス確立の続行が前記第２の通信装置により選択された場合、前記属性を前記第１の通信装置に選択させる属性変更選択手段と、前記第２の通信装置により選択された前記属性を変更するパス変更手段と
をさらに有することを特徴とする請求項９または請求項１０に記載の隣接ノード装置。
【請求項１２】
ノード装置により構成される基幹ネットワークと通信可能に接続された第１の通信装置、第２の通信装置、および着信通信装置を有し、前記第１の通信装置と着信通信装置との間に確立される第１のパスに加えて、前記第２の通信装置と着信通信装置との間に第２のパスを確立させるネットワークリソース仲介通信システム内の通信装置であって、
前記着信通信装置との間の第２のパスを確立させるための要求を行うパス要求手段と、
前記着信通信装置との間の第２のパス確立の制御を行うパス確立制御手段とを有することを特徴とする通信装置。
【請求項１３】
前記隣接ノード装置からパス確立選択情報を受信し、該パス確立選択情報に応答してパス確立の続行または中止を選択し、選択結果をパス確立選択情報に含めて前記隣接ノード装置に送信するパス選択応答手段を、さらに有することを特徴とする請求項１２に記載の通信装置。
【請求項１４】
前記隣接ノード装置から属性変更選択情報を受信し、該属性変更選択情報に応答して帯域，経路または冗長系構成を選択し、選択した結果を前記属性変更選択情報に含めて前記隣接ノード装置に送信する属性選択応答手段を、さらに有することを特徴とする請求項１２または請求項１３に記載の通信装置。
【請求項１５】
ノード装置により構成される基幹ネットワークと通信可能に接続された複数の通信装置相互間にパスが確立された後、さらに任意の通信装置相互間に新たなパスを確立させるためのネットワークリソース仲介通信方法において、
隣接ノード装置は、通信装置からのパス確立要求メッセージを受信し、受信した情報に基づいて受付不可能か否かを判断し、受付不可能と判断された場合、既存のパスを要求した通信装置の優先度と新規のパス確立要求メッセージを送信した通信装置の優先度とを格納している契約情報に基づいて決定し、前記各通信装置の優先度の高低を比較し、新規の要求を行った通信装置の優先度が既存のパスを要求した通信装置の優先度より高い場合、既存のパスの属性を変更し、変更された後に新規のパスを確立し、一方、新規の要求を行った通信装置の優先度が既存のパスを要求した通信装置の優先度より低い場合、パス確立を中止の通知を新規パス要求の通信装置に送信することを特徴とするリソース仲介通信方法。
【請求項１６】
前記新規パスを要求した通信装置の優先度が既存のパスを要求した通信装置の優先度より高い場合、前記新規パス要求の通信装置に対して、要求されたパス確立の続行または中止を選択させるためのパス確立選択情報を送信し、該パス確立選択情報に応じた選択結果を受信し、該選択結果に従った処理を行うことを特徴とする請求項１５に記載のリソース仲介通信方法。
【請求項１７】
前記新規パスを要求した通信装置の優先度が既存のパスを要求した通信装置の優先度より高い場合で、かつ前記新規パス要求の通信装置がパス確立の続行を選択した場合、確立中パス属性選択情報を既存のパスを要求した通信装置に送信し、既存のパスの帯域または経路が選択された結果を受信して、該受信結果に応じて確立中のパスの属性を変更することを特徴とする請求項１５または請求項１６に記載のリソース仲介通信方法。
【請求項１８】
ノード装置により構成される基幹ネットワークと通信可能に接続された複数の通信装置相互間にパスが確立された後、さらに任意の通信装置相互間に新たなパスを確立させるためのネットワークリソース仲介用プログラムであって、
隣接ノード装置のコンピュータに、請求項１５乃至請求項１７の何れかに記載のリソース仲介通信方法の手順を実行するためのネットワークリソース仲介用プログラム。
【請求項１９】
請求項１８に記載のネットワークリソース仲介用プログラムを記録したことを特徴とするコンピュータ読み取り可能な記録媒体。
【発明の詳細な説明】
【０００１】
【発明の属する技術分野】
本発明は、ノード装置により構成される基幹ネットワークと通信可能に接続された複数の通信装置を備え、発信した通信装置と着信する通信装置との間のパスを確立させるネットワークリソース仲介通信システム、通信方法、通信装置および隣接ノード装置、ならびにそのプログラムと記録媒体に関する。
【０００２】
【従来の技術】
従来の通信システムにおいては、高優先度を有する顧客からの通信要求と低優先度を有する顧客からの通信要求がほぼ同時期に発生した場合には、高優先度を有する顧客からの通信要求を正常処理し、低優先度を有する顧客からの通信要求を破棄または延期する方法が知られている。
例えば、特開２００２−１３３２４４号公報に記載の『通信サービス提供方法及び装置』（特許文献１参照）の段落〔００１７〕および図７には、優先処理手段は、顧客１の端末４１の優先度が高く、顧客２の端末４２の優先度が低い場合、顧客１の端末４１からの通信要求を正常処理し、顧客１の端末４１は通信網４５を介して接続先１の端末４３に接続し、顧客２の端末４２からの通信要求に対しては接続先２の端末４４と不接続にして通信要求を破棄または延期する、と記述されている。
【０００３】
【特許文献１】
特開２００２−１３３２４４号公報（段落００１７および図７）
【０００４】
【発明が解決しようとする課題】
しかしながら、上述した従来の通信システムでは、基幹ネットワークの資源が不足しているとき、高優先度を有する顧客からの通信要求を受付けた要求帯域などを含む要求条件が満たせなくなってしまうと、高優先度を有する顧客からの通信要求を破棄してしまう、という問題があった。
本発明の目的は、このような問題を解決し、高優先度を有する顧客からの通信要求を受付けながら、基幹ネットワーク内の資源を有効に利用することで、パスを確立させることが可能なネットワークリソース仲介通信システム、通信方法、通信装置および隣接ノード装置、ならびにそのプログラムと記録媒体を提供することにある。
【０００５】
【課題を解決するための手段】
本発明のネットワークリソース仲介通信方法は、ノード装置により構成される基幹ネットワークと通信可能に接続された複数の通信装置相互間にパスが確立された後、さらに任意の通信装置相互間に新たなパスを確立させるためのネットワークリソース仲介通信方法において、該ノード装置は、新規パスの受付に失敗した場合には、既に記憶している通信装置との間の契約情報を参照し、該新規パスを要求した通信装置の優先度が既存のパスを要求した通信装置の優先度より高いとき、既存のパスの属性を変更し、変更により不足分を補足することで、該新規パスを確立することを特徴としている。
これにより、高優先度を有する顧客からの通信要求を受付けたとき、優先度の低いパスの属性を変更するので、高優先度を有する顧客からの通信要求を受付けながら基幹ネットワーク内の資源を有効に利用してパスを確立させることができる。
【０００６】
本発明のネットワークリソース仲介通信システムは、ノード装置により構成される基幹ネットワークと通信可能に接続された第１の通信装置、第２の通信装置、および着信通信装置を有し、前記第１の通信装置と着信通信装置との間に確立される第１のパスに加えて、前記第２の通信装置と着信通信装置との間に第２のパスを確立させるネットワークリソース仲介通信システムにおいて、ノード装置内に、各前記通信装置の契約に関する契約情報を格納する契約情報格納手段と、前記第２のパスを確立するための要求を前記第２の通信装置から受付けるパス要求受付手段と、前記パス要求受付手段が受付けた要求が受付不可能か否かを判断する受付判断手段と、前記受付判断手段が受付不可能と判断した場合、前記契約情報に基づいて各前記通信装置の優先度を決定する優先度決定手段と、前記優先度決定手段により決定された各前記通信装置の優先度をそれぞれ比較する比較手段と、前記第２の通信装置の優先度が前記第１の通信装置の優先度より高いとき、前記第１のパスの属性を変更するパス変更手段と、前記パス変更手段が前記第１のパスを変更した後に、前記第２のパスを確立させるパス確立手段とを備え、前記受付判断手段が使用可能と判断した場合、前記パス確立手段は、前記第２のパスを確立させることを特徴としている。
この構成により、第１のパスの属性（帯域または経路または冗長パス）を変更するので、帯域または経路を有効に利用して、あるいは冗長パスのうち１つを削除することで、パスを確立させることができる。
【０００７】
また、前記第２の通信装置の優先度が前記第１の通信装置の優先度より高いとき、前記第２のパス確立の続行または中止を前記第２の通信装置に選択させるパス確立選択手段をさらに備え、前記パス変更手段は、前記第２のパス確立の続行が前記第２の通信装置により選択された場合、前記第１のパスに関する属性を変更することも特徴としている。
この構成により、第２の通信装置の優先度が第１の通信装置の優先度より高いとき、第２のパス確立の続行または中止を第２の通信装置に選択させるので、第２の通信装置の顧客の利便性を高めることができる。
【０００８】
また、前記第２のパス確立の中止が前記第２の通信装置により選択された場合、前記第２の通信装置にポイントを加算するポイント加算手段をさらに備えたことも特徴としている。
この構成により、第２のパス確立の中止が選択されたとき、第２の通信装置にポイントが加算されるので、中止しても料金の割引などの利点を第２の通信装置に与えることができる。
【０００９】
さらに、前記第２のパス確立の続行が前記第２の通信装置により選択された場合、前記属性を前記第１の通信装置に選択させる属性変更選択手段をさらに備え、前記パス変更手段は、前記第２の通信装置により選択された前記属性を変更することも特徴としている。
この構成により、第２のパス確立の続行が選択されたとき、変更される第１のパスの属性を第１の通信装置に選択させるので、第１の通信装置の顧客の利便性を高めることができる。
【００１０】
【発明の実施の形態】
以下、本発明の実施の形態を図面により詳細に説明する。
（第１実施形態）
図１は、本発明の第１の実施形態に係るリソース仲介通信システムのシステム構成図である。
図１に示すように、通信システム１０００は、基幹ネットワーク１０と通信可能に接続された通信装置２００および着信通信装置２０１と、基幹ネットワーク１０を構成するノード装置１０１、および通信装置２００と隣接する隣接ノード装置１００とを含むように構成されている。なお、図の説明では、図に記載の−１，−２などを除いて、装置の種類を特定する記号２００，２０１のみを記載する。
【００１１】
なお、通信装置２００および着信通信装置２０１は、通信端末、ルータなどからなる装置であり、隣接ノード装置１００、およびノード装置１０１は、光クロスコネクト、ルータ、スイッチなどからなる装置であって、基幹ネットワーク１０に含まれる各装置は、互いに光ファイバで接続されるようにしてもよい。通信装置２００、着信通信装置２０１、隣接ノード装置１００、およびノード装置１０１は、ＲＦＣ３４７３などのＲＳＶＰ−ＴＥ（Ｒｅｓｏｕｒｃｅ  ｒｅＳｅｒＶａｔｉｏｎ  Ｐｒｏｔｏｃｏｌ−Ｔｒａｆｆｉｃ  Ｅｎｇｉｎｅｅｒｉｎｇ）に準拠してパスを確立させるようになっている。
【００１２】
また、隣接ノード装置１００は、基幹ネットワーク１０の入口となり、出口となるようにしてもよい。
図１に示した通信装置２００、着信通信装置２０１、隣接ノード装置１００、およびノード装置１０１の個数は、複数であって特に限定されるものではない。また、説明の都合上、それぞれを通信装置２００−ｎ、着信通信装置２０１−ｎ、およびノード装置１０１−ｎで示す。なお、ｎは自然数である。
ここで、隣接ノード装置１００とノード装置１０１−１との間の最大帯域は、毎秒２０メガビット（以下、２０Ｍと記す）であり、ノード装置１０１−１とノード装置１０１−３との間の最大帯域は、１０Ｍである。また、隣接ノード装置１００とノード装置１０１−２との間の最大帯域は、２０Ｍであり、ノード装置１０１−２とノード装置１０１−３の間の最大帯域は、４Ｍである。
【００１３】
太線で示されるパス２０は、８Ｍの帯域を有し、隣接ノード装置１００およびノード装置１０１を経由して通信装置２００−１と着信通信装置２０１−１との間に既に確立されている。通信装置２００−２は、仮に、着信通信装置２０１−２との間の４Ｍのパスを確立するための要求を行うようになっている。隣接ノード装置１００は、通信装置２００−２からこの要求を受付け、受付けた要求が受付不可能か否かを判断するようになっている。
【００１４】
隣接ノード装置１００は、帯域不足などの要因により受付不可能と判断した場合、契約情報に基づいて通信装置２００−１の優先度および通信装置２００−２の優先度を決定し、決定された優先度をそれぞれ比較するようになっている。隣接ノード装置１００は、通信装置２００−２の優先度が通信装置２００−１の優先度より高いとき、パス２０の属性を変更し、パス２０を変更した後に、着信通信装置２０１−２との間のパスを確立させるようになっている。変更される属性には、帯域、経路および冗長系構成がある。
【００１５】
なお、仮に、着信通信装置２０１−２との間の４Ｍのパスを確立するための要求を行って、使用可能と判断した場合には、パス２０の属性を変更せずに着信通信装置２０１−２との間のパスを確立させるようになっている。また、隣接ノード装置１００は、通信装置２００−２の優先度が通信装置２００−１の優先度より高いとき、パス２０を削除するようにしてもよい。
【００１６】
図２は、図１における隣接ノード装置の詳細ブロック図である。
図２に示すように、隣接ノード装置１００は、契約情報格納手段１１０、パス要求受付手段１２０、受付判断手段１３０、優先度決定手段１４０、比較手段１５０、およびパス確立制御手段１６０を含むように構成される。
なお、パス確立制御手段１６０は、パス変更手段１６１とパス確立手段１６２とからなる。また、契約情報格納手段１１０は、各通信装置２００の契約に関する契約情報を格納するようになっている。
【００１７】
図１３は、図２の契約情報格納手段が格納する契約情報の一例を示す図である。
例えば、契約情報には、パスの確立に関する優先度または使用可能な最大帯域のうち、少なくとも１つのものが含まれる。なお、契約情報格納手段１１０は、契約情報を隣接ノード装置１００が有するハードディスクなどを含む記憶手段に格納してもよい。図１３に示すように、通信装置２００−１の契約情報の使用可能最大帯域は、５Ｍであり、通信装置２００−２の契約情報の使用可能最大帯域は、５Ｍである。また、通信装置２００−１の優先度Ｂは、通信装置２００−２の優先度Ａよりも低い。
【００１８】
パス要求受付手段１２０は、着信通信装置２０１−２との間のパスを確立するための要求を通信装置２００−２から受付けるようになっている。
例えば、通信装置２００−２は、要求帯域５Ｍの帯域を有するパスの確立を要求するため、ＲＳＶＰ（ｒｅｓｏｕｒｃｅ  ｒｅｓｅｒｖａｔｉｏｎ  ｐｒｏｔｏｃｏｌ）に準拠したＰＡＴＨメッセージを隣接ノード装置１００に送信し、パス要求受付手段１２０は、通信装置２００−２から送信されたＰＡＴＨメッセージを受信し、受信されたＰＡＴＨメッセージに含まれる受信情報を受付判断手段１３０に出力するようになっている。
【００１９】
受付判断手段１３０は、パス要求受付手段１２０が受け付けた要求が受付不可能か否かを判断するようになっている。
例えば、受付判断手段１３０には、パス要求受付手段１２０により出力された受信情報が入力され、受付判断手段１３０は、入力された受信情報に基づいて要求が受付不可能か否かを判断し、受付不可能と判断した場合には、判断結果を表す判断結果情報を優先度決定手段１４０に出力し、受付可能と判断した場合には、判断結果を表す判断結果情報をパス確立手段１６２に出力するようになっている。
【００２０】
より詳細に説明する。例えば、受付判断手段１３０は、ＣＳＰＦ（Ｃｏｎｓｔｒａｉｎｅｄ  Ｓｈｏｒｔｅｓｔ  Ｐａｔｈ  Ｆｉｒｓｔ）に準拠して要求されたパスの最適な経路を選択し、選択された経路がノード装置１０１−２を経由する場合、要求帯域５Ｍの帯域を有するパスの確立を要求するための受信情報を含むＰＡＴＨメッセージをノード装置１０１−２に送信するようになっている。
ノード装置１０１−２は、送信されたＰＡＴＨメッセージを受信すると、受信されたＰＡＴＨメッセージが受付不可能か否かを判断し、帯域不足などの要因により受付不可能と判断した場合、ＰＡＴＨメッセージに応答するためのＰＡＴＨＥＲＲメッセージを隣接ノード装置１００に返信するが、受付可能と判断した場合には、ＰＡＴＨメッセージに応答するためのＲＥＳＶメッセージを隣接ノード装置１００に返信するようになっている。
【００２１】
優先度決定手段１４０には、受付判断手段１３０によって出力された判断結果情報が入力され、優先度決定手段１４０は、入力された判断結果情報に応じて、契約情報格納手段１１０が格納する契約情報に基づいて通信装置２００−１の優先度および通信装置２００−２の優先度を決定し、決定された通信装置２００−１の優先度および通信装置２００−２の優先度を表す優先度情報を比較手段１５０に出力するようになっている。
【００２２】
例えば、優先度決定手段１４０は、図１３に示した契約情報に含まれる優先度に応じて通信装置２００−１および通信装置２００−２の優先度を決定するようにしてもよい。または、図１３に示した契約情報に含まれる最大帯域を越える帯域でパス２０を確立させている通信装置２００−１に対して低い優先度を決定するようにしてもよい。
【００２３】
比較手段１５０には、優先度決定手段１４０により出力された優先度情報が入力され、比較手段１５０は、入力された優先度情報に基づいて通信装置２００−１の優先度および通信装置２００−２の優先度をそれぞれ比較し、比較された通信装置２００−１の優先度および通信装置２００−２の優先度のうち低い優先度の通信装置２００を表す低優先通信装置情報をパス変更手段１６１に出力するようになっている。
【００２４】
パス確立制御手段１６０は、パス変更手段１６１、パス確立手段１６２を有して、通信装置２００と着信通信装置２０１との間のパスを制御するようになっている。
【００２５】
パス変更手段１６１には、比較手段１５０により出力された低優先通信装置情報が入力され、パス変更手段１６１は、入力された低優先通信装置情報に基づいて、通信装置２００−２の優先度が通信装置２００−１の優先度より高いとき、パス２０の属性を変更し、変更が完了した旨を表す変更完了情報をパス確立手段１６２に出力するようになっている。また、パス変更手段１６１は、通信装置２００−２の優先度が通信装置２００−１の優先度より高いとき、パス２０を削除するようにしてもよい。
【００２６】
また、パス変更手段１６１は、通信装置２００−２の優先度が通信装置２００−１の優先度より低いとき、要求されたパスを確立せずに、パス確立を中止するため、ＰＡＴＨＥＲＲメッセージを通信装置２００−２に送信するようにしてもよい。
【００２７】
図１４は、パス毎の属性を表すパス属性情報の図である。
ここで、パス２０の属性は、パス２０の帯域またはパス２０の経路を含む。また、パス２０が冗長系構成を有しているときには、パス２０の属性に冗長系構成を含むようにしてもよい。隣接ノード装置１００は、図１４に示すように、パス毎の属性を表すパス属性情報を有している。パス２０の帯域が８Ｍ、パス２０の経路がノード装置１０１−１行き、パス２０の収容通信装置が通信装置２００−１であることを示している。本実施形態のパス属性情報は、ＰＡＴＨメッセージの受信に応じて生成される。
【００２８】
本実施形態では、帯域不足の要因により、ノード装置１０１−２からＰＡＴＨＥＲＲメッセージが返信されたとき、パス変更手段１６１は、パス２０の帯域を横取りするため、パス２０の帯域を８Ｍから契約帯域の５Ｍに減少させるようになっている。例えば、パス変更手段１６１は、パス２０の帯域を５Ｍに変更するためのＰＡＴＨメッセージをノード装置１０１−１を経由して着信通信装置２０１−１に送信し、パス２０の帯域を５Ｍに変更した旨を通信装置２００−１に通知することにより、パス２０の帯域を８Ｍから契約帯域の５Ｍに減少させる。
また、パス変更手段１６１は、パス２０の帯域を５Ｍに変更するためのＲＥＳＶＴＥＡＲメッセージを隣接ノード装置１００から通信装置２００−１に送信することにより、隣接ノード装置１００は、通信装置２００−１からのＰＡＴＨメッセージを受信し、受信されたＰＡＴＨメッセージをノード装置１０１−１を経由して着信通信装置２０１−１に送信することで、パス２０の帯域を８Ｍから契約帯域の５Ｍに減少させるようにしてもよい。
なお、ノード装置１０１−１がＰＡＴＨメッセージを送信するようにしてもよい。
【００２９】
また、パス変更手段１６１は、ノード装置１０１−２を経由するようにパス２０の経路を変更するようにしてもよい。例えば、パス変更手段１６１は、パス２０の経路を変更するため、ＰＡＴＨメッセージをノード装置１０１−２を経由して着信通信装置２０１−１に送信することにより、隣接ノード装置１００と着信通信装置２０１−１との間に暫定のパスを確立させる。ここで、パス変更手段１６１は、この暫定のパスと、パス２０の通信装置２００−１から隣接ノード装置１００までの区間のパスとを結合し、パス２０の隣接ノード装置１００から通信装置２０１−１までの区間のパスを解放して、ノード装置１０１−２を経由するようにパス２０の経路を変更する。
【００３０】
なお、パス変更手段１６１は、帯域または経路のうち何れか一方を変更するような予め決められた変更情報を格納し、格納された変更情報に従ってパスの属性を変更するようにしてもよい。
また、通信装置２００が帯域または経路のうち何れか一方を変更するような変更情報を含むＰＡＴＨメッセージを隣接ノード装置１００に送信し、送信されたＰＡＴＨメッセージを受信したとき、パス変更手段１６１は、このＰＡＴＨメッセージに含まれる変更情報を予め格納し、格納された変更情報に従って通信装置２００が有するパスの属性を変更するようにしてもよい。
【００３１】
仮に、パス２０が他のパスと対の２重化された冗長パスであるとき、パス変更手段１６１は、この冗長パスの帯域を横取りするため２本からなる冗長パスのうちの１本を削除するようにしてもよい。
なお、冗長系構成は、プライマリＬＳＰ（Ｌａｂｅｌ  Ｓｗｉｔｃｈｅｄ  Ｐａｔｈ）およびセカンダリＬＳＰによって構成され、プライマリＬＳＰと、プライマリＬＳＰと対をなすセカンダリＬＳＰとの双方のＬＳＰ識別子が同一であるような構成でもよい。
【００３２】
パス確立手段１６２には、パス変更手段１６１により出力された変更完了情報が入力されることで、パス確立手段１６２は、入力された変更完了情報に応じてパス変更手段１６１がパスを変更した後に要求されたパスを確立させるようになっている。例えば、パス変更手段１６１がパス２０の帯域を８Ｍから５Ｍに減少させるなどしてパス２０を変更した後に、パス確立手段１６２は、要求帯域５Ｍの帯域を有するパスを確立させるようになっている。
【００３３】
また、パス確立手段１６２には、受付判断手段１３０により出力された判断結果情報が入力されることで、パス確立手段１６２は、入力された判断結果情報に応じて要求されたパスを確立させるようになっている。
【００３４】
図３は、図１における通信装置のブロック構成図である。
図３に示すように、通信装置２００は、パス要求手段２１０およびパス確立制御手段２２０を含むように構成される。
パス要求手段２１０は、着信通信装置２０１との間のパスを確立させるための要求を行うようになっている。例えば、パス要求手段２１０は、パスの確立を要求するため、ＲＳＶＰに準拠したＰＡＴＨメッセージを生成し、生成されたＰＡＴＨメッセージを隣接ノード装置１００に送信するようになっている。
【００３５】
パス確立制御手段２２０は、着信通信装置２０１との間のパス確立の制御を行うようになっている。例えば、パス確立制御手段２２０は、パス要求手段２１０がＰＡＴＨメッセージを隣接ノード装置１００に送信した後、ＰＡＴＨメッセージに対する応答であるＲＥＳＶメッセージを隣接ノード装置１００から受信してパスを確立させるようになっている。また、パス確立制御手段２２０は、隣接ノード装置１００から既に確立中のパスに関する帯域または経路の変更に応じるようになっている。
【００３６】
図４は、本発明の第１の実施形態に係る通信システムの処理フローチャートである。
ここでは、パス２０は、８Ｍの帯域を有し、隣接ノード装置１００およびノード装置１０１を経由して通信装置２００−１と着信通信装置２０１−１との間に既に確立されているものとして説明する。
【００３７】
まず、ＰＡＴＨメッセージは、パス要求手段２１０により隣接ノード装置１００に送信される（Ｓ１０１）。通信装置２００−２から送信されたＰＡＴＨメッセージは、パス要求受付手段１２０により受信され（Ｓ１０２）、受信されたＰＡＴＨメッセージに含まれる受信情報に基づいて受付不可能か否かが、受付判断手段１６０により判断され、例えば、帯域不足の要因で受付不可能と判断された場合、処理はＳ１０４に進み、受付可能と判断された場合、処理はＳ１１０に進む（Ｓ１０３）。
【００３８】
また、受付不可能と判断された場合、通信装置２００−１の優先度および通信装置２００−２の優先度は、契約情報格納手段１１０が格納する契約情報に基づいて決定され（Ｓ１０４）、それぞれの通信装置２００の優先度の高低が比較手段１５０により比較される（Ｓ１０５）。
【００３９】
次に、通信装置２００−２の優先度が通信装置２００−１の優先度より高い場合、処理はＳ１０７に進み、通信装置２００−２の優先度が通信装置２００−１の優先度より低い場合、処理はＳ１０９に進む（Ｓ１０６）。通信装置２００−１の優先度より低い場合、パス確立を中止するため、ＰＡＴＨＥＲＲメッセージは、通信装置２００−２に送信される（Ｓ１０９）。
【００４０】
また、通信装置２００−１の優先度より高い場合、確立中のパス２０の属性が、パス変更手段１６１により変更され（Ｓ１０７）、変更したパス２０の属性が通信装置２００−１に通知される（Ｓ１０８）。確立中のパス２０の属性が変更された後、ＲＥＳＶメッセージなどを通信装置２００−２に送信して要求されたパスが、パス確立手段１６２により確立される（Ｓ１１０，Ｓ１１１）。
【００４１】
このように、本発明の第１の実施形態に係る通信システムは、高優先度を有する顧客からの通信要求を受付けたとき、優先度の低いパス２０の属性を変更するため、高優先度を有する顧客からの通信要求を受付けながら基幹ネットワーク１０内の資源を有効に利用してパスを確立させることができる。さらに、パス２０の帯域を変更するため、帯域を有効に利用してパスを確立させることができ、また、パス２０の経路を変更するため、経路を有効に利用してパスを確立させることができる。また、パス２０の冗長系構成が変更可能であるため、冗長系構成を有効に利用して他のパスを確立させることができる。例えば、パス２０が２つのパスからなる冗長パスであったとき、パス２０の冗長系構成を２つから１つに変更するため、資源を有効に利用してパスを確立させることができる。
【００４２】
（第２の実施形態）
図５は、本発明の第２の実施形態に係るリソース仲介通信システムのシステム構成図である。
図５に示すように、通信システム２０００は、基幹ネットワーク１０と通信可能に接続された通信装置４００および着信通信装置２０１と、基幹ネットワーク１０を構成するノード装置１０１と、通信装置４００と隣接する隣接ノード装置３００とを含むように構成される。なお、本発明の第２の実施形態に係る通信システム２０００を構成する要素のうち、本発明の第１の実施形態に係る通信システム１０００を構成する装置と同一の装置には、同一の符号を付し、それぞれの説明を省略する。
【００４３】
また、通信装置４００は、通信端末、ルータなどからなる装置であり、隣接ノード装置３００およびノード装置１０１は、光クロスコネクト、ルータ、スイッチなどからなる装置であって、基幹ネットワーク１０に含まれる各装置は、互いに光ファイバで接続されるようにしてもよい。通信装置４００、着信通信装置２０１、隣接ノード装置３００およびノード装置１０１は、ＲＦＣ３４７３などのＲＳＶＰ−ＴＥ（Ｒｅｓｏｕｒｃｅ  ｒｅＳｅｒＶａｔｉｏｎ  Ｐｒｏｔｏｃｏｌ−Ｔｒａｆｆｉｃ  Ｅｎｇｉｎｅｅｒｉｎｇ）に準拠してパスを確立させるようになっている。
【００４４】
なお、隣接ノード装置３００は、基幹ネットワーク１０の入口となり、出口となるようにしてもよい。
図５に示した通信装置４００、通信通信装置２０１、隣接ノード装置３００、およびノード装置１０１の個数は、複数であれば、特に限定されるものではない。また、説明の都合上、それぞれを通信装置４００−ｎ、着信通信装置２０１−ｎ、およびノード装置１０１−ｎと示す。ここで、ｎは自然数である。
【００４５】
図６は、図５における隣接ノード装置の詳細ブロック構成図である。
図６に示すように、隣接ノード装置３００は、契約情報格納手段１１０、パス要求受付手段１２０、受付判断手段１３０、優先度決定手段１４０、比較手段１５０、パス確立制御手段２６０、パス確立選択手段２７０、およびポイント加算手段２８０を含むように構成される。なお、隣接ノード装置３００を構成する各手段のうち、第１の実施形態に係る隣接ノード装置１００を構成する手段と同一の手段には同一の符号を付し、それぞれの説明を省略する。
【００４６】
パス確立選択手段２７０には、比較手段１５０により出力された低優先通信装置情報が入力されることで、パス確立選択手段２７０は、入力された低優先通信装置情報に基づいて、通信装置４００−２の優先度が通信装置４００−１の優先度より高いとき、要求されたパス確立の続行または中止を通信装置４００−２に選択させるようになっている。また、パス確立選択手段２７０は、通信装置４００−２の優先度が通信装置４００−１の優先度より低いとき、要求されたパスを確立せずに、パス確立を中止するため、ＰＡＴＨＥＲＲメッセージを通信装置４００−２に送信するようにしてもよい。
【００４７】
例えば、パス確立選択手段２７０は、要求されたパス確立の続行または中止を選択させるためのパス確立選択情報を通信装置４００−２に送信することで、送信されたパス確立選択情報を受信した通信装置４００−２は、選択した結果をパス確立選択情報に含めて隣接ノード装置３００に送信するようにしている。
パス確立選択手段２７０は、選択した結果を含むパス確立選択情報を受信し、選択した結果が要求されたパス確立の続行を示している場合、パス確立選択情報をパス変更手段２６１に出力し、選択した結果が要求されたパス確立の中止を示している場合、パス確立選択情報をポイント加算手段２８０に出力するようになっている。
【００４８】
ポイント加算手段２８０には、パス確立選択手段２７０により出力されたパス確立選択情報が入力されることで、ポイント加算手段２８０は、入力されたパス確立選択情報に応じて通信装置４００にポイントを加算するようになっている。ここで、ポイントとは、所定期間が経過するまで蓄積されるものであり、ポイントの数に応じて景品との交換や通信料金の値下げを可能とするものである。例えば、通信装置４００がパス確立の中止を選択した場合には、通信装置４００にポイントを加算するようになっている。
【００４９】
パス確立制御手段２６０は、パス変更手段２６１およびパス確立手段１６２を有し、通信装置４００と着信通信装置２０１との間のパスを制御するようになっている。
パス変更手段２６１には、パス確立選択手段２７０により出力されたパス確立選択情報が入力されることで、パス変更手段２６１は、入力されたパス確立選択情報に応じてパス２０の属性を変更し、変更が完了した旨を表す変更完了情報をパス確立手段１６２に出力するようになっている。
【００５０】
図７は、図５における通信装置の詳細ブロック構成図である。
図７に示すように、通信装置４００は、パス要求手段２１０、パス確立制御手段２２０、およびパス選択応答手段４３０を含むように構成される。なお、本実施形態に係る通信装置４００を構成する各手段のうち、第１の実施形態に係る通信装置２００を構成する手段と同一の手段には同一の符号を付し、それぞれの説明を省略する。
【００５１】
パス選択応答手段４３０には、隣接ノード装置３００からパス確立選択情報が受信され、受信されたパス確立選択情報に応答してパス確立の続行または中止を選択し、選択した結果をパス確立選択情報に含めて隣接ノード装置３００に送信するようになっている。例えば、パス選択応答手段４３０は、パス確立選択情報に応じて中止を選択することを決定するような情報を予め記憶し、この情報に基づいて選択するようにしてもよい。
【００５２】
図８は、本発明の第２の実施形態に係る通信システムの処理フローチャートである。
なお、処理フローのうち、第１の実施形態に係る通信システムの処理と同一のものについては、同一の符号を付し、それぞれの説明を省略する。従って、図８において、Ｓ１０１からＳ１０５までの処理は、実施済みとして説明する。
まず、通信装置４００−２の優先度が通信装置４００−１の優先度より高い場合、処理はＳ２０２へ進み、通信装置４００−１の優先度より低い場合、処理はＳ１０９へ進む（Ｓ２０１）。
【００５３】
次に、要求されたパス確立の続行または中止を選択させるためのパス確立選択情報は、パス確立選択手段２７０により通信装置４００−２に送信され（Ｓ２０２）、送信されたパス確立選択情報は、パス選択応答手段４３０により受信され、受信されたパス確立選択情報に応じてパス確立の続行または中止が選択され、選択された結果は、隣接ノード装置３００に送信される（Ｓ２０３）。
ここで、通信装置４００−２が要求されたパス確立の続行を選択した場合、処理はＳ２０６へ進み、パス確立の中止を選択した場合、処理はＳ２０５に進む（Ｓ２０４）。パス確立の中止を選択した場合、ポイントは、ポイント加算手段２８０により通信装置４００−２に加算され、所定期間が経過するまで蓄積される（Ｓ２０５）。パス確立の続行を選択した場合、確立中のパス２０の属性が、パス変更手段２６１により変更される（Ｓ２０６）。
【００５４】
このように、本発明の第２の実施形態に係る通信システムは、通信装置４００−２の優先度が通信装置４００−１の優先度より高いとき、パス確立の続行または中止を通信装置４００−２に選択させるため、通信装置４００−２の顧客の利便性を高めることができる。また、パス確立の中止が選択されたとき、通信装置４００−２にポイントが加算されるため、中止しても料金の割引きなどの利点を通信装置４００−２に与えることができる。
【００５５】
（第３の実施形態）
図９は、本発明の第３の実施形態に係るリソース仲介通信システムのシステム構成図である。
図９に示すように、通信システム３０００は、基幹ネットワーク１０と通信可能に接続された通信装置６００および着信通信装置２０１と、基幹ネットワーク１０を構成するノード装置１０１、および、通信装置６００と隣接する隣接ノード装置５００とを含むように構成される。なお、本発明の第３の実施形態に係る通信システム３０００を構成する要素のうち、第２の実施形態に係る通信システム２０００を構成する装置と同一の装置には同一の符号を付し、それぞれの説明を省略する。
【００５６】
また、通信装置６００は、通信端末、ルータなどからなる装置であり、隣接ノード装置５００、およびノード装置１０１は、光クロスコネクト、ルータ、スイッチなどからなる装置であって、基幹ネットワーク１０に含まれる各装置は、互いに光ファイバで接続されるようにしてもよい。通信装置６００、着信通信装置２０１、隣接ノード装置５００、およびノード装置１０１は、ＲＦＣ３４７３などのＲＳＶＰ−ＴＥ（Ｒｅｓｏｕｒｃｅ  ｒｅＳｅｒＶａｔｉｏｎ  Ｐｒｏｔｏｃｏｌ−Ｔｒａｆｆｉｃ  Ｅｎｇｉｎｅｅｒｉｎｇ）に準拠してパスを確立させるようになっている。
【００５７】
なお、隣接ノード装置５００は、基幹ネットワーク１０の入口となり、出口となるようにしてもよい。
図９に示した通信装置６００、着信通信装置２０１、隣接ノード装置５００、およびノード装置１０１の個数は、複数であって、特に限定されるものではない。また、説明の都合上、それぞれを通信装置６００−ｎ、着信通信装置２０１−ｎ、およびノード装置１０１−ｎと示す。ここで、ｎは自然数である。
【００５８】
なお、隣接ノード装置５００とノード装置１０１−１との間の最大帯域は、毎秒２０メガビット（以下、２０Ｍと記す）であり、ノード装置１０１−１とノード装置１０１−３との間の最大帯域は、１０Ｍである。また、隣接ノード装置５００とノード装置１０１−２との間の最大帯域は、２０Ｍであり、ノード装置１０１−２とノード装置１０１−３との間の最大帯域は、４Ｍである。太線で示したパス２０は、８Ｍの帯域を有し、隣接ノード装置５００およびノード装置１０１−１，１０１−３を経由して通信装置６００−１と着信通信装置２０１−１との間に確立されている。
【００５９】
図１０は、図９における隣接ノード装置の詳細ブロック構成図である。
図１０に示すように、隣接ノード装置５００は、契約情報格納手段１１０、パス要求受付手段１２０、受付判断手段１３０、優先度決定手段１４０、比較手段１５０、パス確立制御手段３６０、パス確立選択手段２７０、および、ポイント加算手段２８０を含むように構成される。なお、本発明の第３の実施形態に係る隣接ノード装置５００を構成する手段のうち、第２の実施形態に係る隣接ノード装置３００を構成する手段と同一の手段には同一の符号を付し、それぞれの説明を省略する。
【００６０】
パス確立制御手段３６０は、パス変更手段３６１、パス確立手段１６２、および属性変更選択手段３６３を有し、通信装置６００と着信通信装置２０１との間のパスを制御するようになっている。
【００６１】
属性変更選択手段３６３には、パス確立選択手段２７０により出力されたパス確立選択情報が入力されることで、属性変更選択手段３６３は、入力されたパス確立選択情報に応じてパス２０の属性を通信装置６００に選択させるようになっている。例えば、通信装置６００−２が要求されたパス確立の続行を選択した場合、属性変更選択手段３６３は、パス２０の属性、つまり本実施形態では、パス２０の帯域，パス２０の経路またはパス２０の冗長系構成を通信装置６００−１に選択させるようになっている。なお、パス２０が冗長系構成を有しているときには、パス２０の冗長系構成を通信装置６００−１に選択させるようにしてもよい。
【００６２】
以下、より詳細な説明を行う。属性変更選択手段３６３は、これから変更するパス２０の属性を選択させるための属性変更選択情報を通信装置６００−１に送信することで、通信装置６００−１は、送信された属性変更選択情報を受信すると、選択した結果を属性変更選択情報に含めて隣接ノード装置５００に送信するようになっている。属性変更選択手段３６３は、選択した結果を含む属性変更選択情報を受信し、受信された属性変更選択情報をパス変更手段３６１に出力するようになっている。
【００６３】
パス変更手段３６１には、属性変更選択手段３６３により出力された属性変更選択情報が入力されることで、パス変更手段３６１は、入力された属性変更選択情報に応じて第１の実施形態で示したように、パスの属性を変更するようになっている。入力された属性変更選択情報が帯域を選択している場合、パス変更手段３６１は、パス２０の帯域から要求帯域５Ｍを横取りするため、パス２０の帯域を８Ｍから５Ｍに減少させるようになっている。入力された属性変更選択情報が経路を選択している場合、パス変更手段３６１は、パス２０の経路を変更するためのＰＡＴＨメッセージをノード装置１０１−２を経由して着信通信装置２０１−１に送信するようになっている。
【００６４】
なお、パス２０が冗長系構成を有し、入力された属性変更選択情報が冗長系構成を選択している場合、パス変更手段３６１は、冗長パスのうちパス２０を削除するためのＰＡＴＨＴＥＡＲメッセージをノード装置１０１−１を経由して着信通信装置２０１−１に送信するようにしてもよい。さらに、属性変更選択情報に関して、帯域、経路、および冗長系構成の他に、削除を通信装置６００−１に選択させるようにして、入力された属性変更選択情報が削除を選択している場合、パス変更手段３６１は、パス２０を削除するようにしてもよい。
【００６５】
図１１は、図９における通信装置の詳細ブロック構成図である。
図１１に示すように、通信装置６００は、パス要求手段２１０、パス確立制御手段２２０、パス選択応答手段４３０、および属性選択応答手段６４０を含むように構成される。なお、本発明の第３の実施形態に係る通信装置６００を構成する手段のうち、第２の実施形態に係る通信装置４００を構成する手段と同一の手段には同一の符号を付し、それぞれの説明を省略する。
【００６６】
属性選択応答手段６４０には、隣接ノード装置５００から属性変更選択情報が受信されることで、属性選択応答手段６４０は、受信された属性変更選択情報に応答して帯域または経路を選択し、選択した結果を属性変更選択情報に含めて隣接ノード装置５００に送信するようになっている。例えば、属性選択応答手段６４０は、属性変更選択情報に応じて帯域を選択することを決定するような情報を予め記憶し、この情報に基づいて選択するようにしてもよい。
【００６７】
図１２は、本発明の第３の実施形態に係る通信システムの処理フローチャートである。
なお、本発明の第３の実施形態に係る通信システムの処理のうち、第２の実施形態に係る通信システムの処理と同一のものについては、同一の符号を付し、それぞれの説明を省略する。従って、第２の実施形態に係る通信システムの処理であるＳ２０１からＳ２０３までの処理は、実施済みとして説明する。
【００６８】
まず、通信装置６００−２が要求されたパス確立の続行を選択した場合、処理はＳ３０１へ進み、パス確立の中止を選択した場合、処理はＳ２０５へ進む（Ｓ２０４）。パス確立の続行を選択した場合、パス２０の帯域またはパス２０の経路を選択させるための属性変更選択情報は、属性変更選択手段３６３により通信装置６００−１に送信される（Ｓ３０１）。送信された属性変更選択情報は、属性選択応答手段３６３により受信され、受信された属性変更選択情報に応じてパス２０の帯域またはパス２０の経路が選択され、選択された結果は、隣接ノード装置５００に送信される（Ｓ３０２）。次に、選択された結果に応じて、確立中のパス２０の属性が、パス変更手段３６１により変更される（Ｓ３０３）。
【００６９】
このように、本発明の第３の実施形態に係る通信システムは、パス確立の続行が選択されたとき、変更されるパス２０の属性を通信装置６００−１に選択させるため、通信装置６００−１の顧客の利便性を高めることができる。
【００７０】
なお、図４、図８および図１２に示した処理フローチャートを、それぞれコード化してプログラムとし、ＣＤ−ＲＯＭ等の記録媒体に格納しておけば、本発明によるネットワークリソース仲介通信用プログラムを販売したり、貸与する場合に便利であり、また、記録媒体を基幹ネットワークの隣接ノード装置のコンピュータに装着して、プログラムをインストールするか、ネットワークを介して他のノード装置のコンピュータにダウンロードして、実行させることにより、本発明を容易に実現することができる。
【００７１】
【発明の効果】
以上説明したように、本発明によれば、高優先度を有する顧客からの通信要求を受付けたとき、優先度の低いパスの属性を変更するため、高優先度を有する顧客からの通信要求を受付けながら、基幹ネットワーク内の資源を有効に利用してパスを確立させることができる。
【図面の簡単な説明】
【図１】本発明の第１の実施の形態に係るリソース仲介通信システムのブロック構成図である。
【図２】図１における隣接ノード装置の詳細ブロック構成図である。
【図３】図１における通信装置の詳細ブロック構成図である。
【図４】本発明の第１の実施の形態に係るリソース仲介通信システムの処理フローチャートである。
【図５】本発明の第２の実施の形態に係るリソース仲介通信システムのブロック構成図である。
【図６】図５における隣接ノード装置の詳細ブロック構成図である。
【図７】図５における通信装置の詳細ブロック構成図である。
【図８】本発明の第２の実施の形態に係るリソース仲介通信システムの処理フローチャートである。
【図９】本発明の第３の実施の形態に係るリソース仲介通信システムのブロック構成図である。
【図１０】図９における隣接ノード装置の詳細ブロック構成図である。
【図１１】図９における通信装置の詳細ブロック構成図である。
【図１２】本発明の第３の実施の形態に係るリソース仲介通信システムの処理フローチャートである。
【図１３】本発明の契約情報格納手段が格納する契約情報の一例を示す図である。
【図１４】本発明のパス毎の属性を表すパス属性情報の一例を示す図である。
【符号の説明】
１０…基幹ネットワーク、２０…パス、
１００，３００，５００…隣接ノード装置、
１０１，１０１−１，１０１−２，１０１−３…ノード装置、
１１０…契約情報格納手段、１２０…パス要求受付手段、
１３０…受付判断手段、１４０…優先度決定手段、１５０…比較手段、
１６０，２６０，３６０…パス確立制御手段、
１６１，２６１，３６１…パス変更手段、１６２…パス確立手段、
２００，２００−１，２００−２…通信装置、
４００，４００−１，４００−２…通信装置、
６００，６００−１，６００−２…通信装置、
２０１−１，２０１−２…着信通信装置、２１０…パス要求手段、
２２０…パス確立制御手段、２７０…パス確立選択手段、
２８０…ポイント加算手段、３６３…属性変更選択手段、
４３０…パス選択応答手段、６４０…属性選択応答手段、
１０００，２０００，３０００…リソース仲介通信システム。
【図１】
2004343199.tif 000003
【図２】
2004343199.tif 000004
【図３】
2004343199.tif 000005
【図４】
2004343199.tif 000006
【図５】
2004343199.tif 000007
【図６】
2004343199.tif 000008
【図７】
2004343199.tif 000009
【図８】
2004343199.tif 000010
【図９】
2004343199.tif 000011
【図１０】
2004343199.tif 000012
【図１１】
2004343199.tif 000013
【図１２】
2004343199.tif 000014
【図１３】
2004343199.tif 000015
【図１４】
2004343199.tif 000016